(57)【要約】【課題】簡易な構成にて、大画面において従来例に比較してより高輝度，高コントラスト，高階調度，高色域な画像表示が可能な画像表示システム及び画像表示装置を提供する。【解決手段】本発明の画像表示システムは、透光性を有する印刷物を表示面に着脱可能に固定し画像を表示する画像表示システムであり、表示面を有し、複数の固体発光素子を備える表示部と、透光性を有する印刷物の濃度値を検出する濃度値読取部と、該濃度値に対応して前記固体発光素子の制御値を設定する制御部とを有し、複数の固体発光素子は、制御値に対応した光を、該印刷物に照射する。【選択図】図１
2008102483.tif 000002
【特許請求の範囲】
【請求項１】
透光性を有する印刷物を表示面に着脱可能に固定し画像を表示する画像表示システムであり、
表示面を有し、複数の固体発光素子を備える表示部と、
透光性を有する印刷物の濃度値を検出する濃度値読取部と、
該濃度値に対応して前記固体発光素子の制御値を設定する制御部と
を有し、
前記複数の固体発光素子は、前記制御値に対応した光を、該印刷物に照射することを特徴とする画像表示システム。
【請求項２】
前記固体発光素子が複数色の色光を照射可能な光源として構成されていることを特徴とする請求項１記載の画像表示システム。
【請求項３】
前記濃度値読取部は前記固体発光素子毎に設けられた受光素子を有し、該受光素子が受光する光の強度により、前記各画像の濃度値を検出することを特徴とする請求項１または請求項２に記載の画像表示システム。
【請求項４】
前記濃度値読取部は、前記固体発光素子の発光時に、前記受光素子の前記印刷物から反射される光強度から、各画素の濃度値を検出することを特徴とする請求項３に記載の画像表示システム。
【請求項５】
前記固体発光素子は、複数色の色光を色光毎に順次射出可能な光源であり、
前記濃度値読取部は、前記受光素子の前記印刷物から各色光の発光時の光強度を検出し、画像の複数色の濃度値を検出することを特徴とする請求項４に記載の画像表示システム。
【請求項６】
印刷物の上に拡散性の高い反射板を重ねて濃度値の検出を行うことを特徴とする請求項１から請求項５のいずれかに記載の画像表示システム。
【請求項７】
前記制御部が、印刷物において、他の領域に比較して濃度値の低い領域を付加表示領域として検出し、該付加表示領域の固体発光素子を制御し、印刷物と異なる情報を表示させることを特徴とする請求項３から請求項６のいずれかに記載の画像表示システム。
【請求項８】
前記制御部が、前記付加表示領域にて検出された色の反対色にて、前記固体発光素子を制御し、印刷物と異なる情報を表示することを特徴とする請求項７に記載の画像表示システム。
【請求項９】
透光性の印刷物を表示面に着脱可能に固定し、画像を表示する画像表示装置であり、
前記表示面を有し複数の固体発光素子を備える表示部と、
前記印刷物からの反射光を受光する受光素子と
を有し、
前記複数の固体発光素子は、前記受光素子の検出結果に応じた光を、前記印刷物に照射することを特徴とする画像表示装置。
【発明の詳細な説明】
【技術分野】
【０００１】
本発明は、多階調の画像を表示する画像表示システム及び画像表示装置に係り、特に高階調表示に好適な画像表示システム及び画像表示装置に関する。
【背景技術】
【０００２】
近年、ＬＣＤ（Liquid Crystal Display），ＥＬ（Electroluminescence Display）、ＣＲＴ（Cathode Ray Tube）や投写型表示装置等の電子ディスプレイ装置における画質改善は目覚ましく、解像度色域については人間の視覚特性にほぼ匹敵する性能を有する装置が実現されつつある。
しかし、輝度ダイナミックレンジに関しては、その再現範囲はたかだか１〜１０２［nit］程度の範囲であり、また階調度を表現するビット数も８ビットが一般に用いられている。
一方、人間の視覚は、一度に知覚し得る輝度ダイナミックレンジの範囲が１０−２〜１０４［nit］程度あり、また輝度弁別能力が０．２［nit］であり、この輝度弁別能力に対応させて、輝度ダイナミックレンジの範囲を階調数に換算すると、ほぼ１２ビット相当のデータ量が必要となると言われている。
【０００３】
上述したような視覚特性を経由し、現在の電子ディスプレイ装置の表示画像を見た場合、輝度ダイナミックレンジの狭さが目立ち、加えてシャドウ部やハイライ卜部の階調の分解能が不足しているため、表示画像のリアリティーや迫力に対して物足りなさを感じることとなる。
また、映画やゲーム等で使用されるＣＧ（Computer Graphics）の画像においては、人間の視覚に近い輝度ダイナミックレンジや階調特性をデータに持たせて描写のリアリティーを追求する動きが主流になりつつある。
【０００４】
しかし、電子ディスプレイ装置の性能が、不足しているために、上記ＣＧコンテンツの画像を表示する際、ＣＧコンテンツが本来有する画像の表現力（階調を表現するビット数が多い）を充分に発揮することができないという課題がある。
さらに、次期Windows（登録商標）においては、１６ビット色空間の採用が予定されており、現在の８ビット色空間と比較してダイナミックレンジや階調数が飛躍的に増大する。  そのため、ＣＧコンテンツにおける１６ビット色空間を充分に生かすことが出来る高ダイナミックレンジ・高階調の電子ディスプレイ装置の実現への要求が高まると考えられる。
【０００５】
電子ディスプレイ装置としては、個々のＬＥＤ毎に調光が可能なＬＥＤアレイ光源のバックライトと、光学変調素子、例えば液晶表示デバイスなどとの組合せにより、非常に高ダイナミックレンジの表示を実現する装置がある（例えば、特許文献１参照）。
また、他の電子ディスプレイ装置としては、野球場やサッカー場などで用いられる大画面のディスプレイとして、複数色のＬＥＤ素子を用いたフルカラーＬＥＤディスプレイが使用されている。
【特許文献１】特表２００５−５２０１８８号公報
【発明の開示】
【発明が解決しようとする課題】
【０００６】
しかしながら、上記特許文献１のディスプレイは、光学変調素子を用いているため、表示の解像度，表示面積，表示輝度，コントラスト性能，視野角性能，製造コストなど、各評価項目における学変調素子に対する制約が大きくなる欠点を有している。
特に、このディスプレイは、対角５０インチを超える大きさの表示画面を考慮した場合、上記制約による問題が顕著となる。
また、上記フルカラーＬＥＤディスプレイは、複数色の色光による画像表示が行えるものの、例えば、現状のフルカラーＬＥＤにより４０００nitを超える輝度にて画像表示を行う場合、１ｃｍ各程度の大きさが必要となり、解像度的には非常に低いものとなる。
【０００７】
本発明は、このような事情に鑑みてなされたもので、簡易な構成により、大画面において従来例に比較してより高輝度，高コントラスト，高階調度，高色域な画像表示を可能とする画像表示システム及び画像表示装置を提供することを目的とする。
【課題を解決するための手段】
【０００８】
本発明の画像表示システムは、透光性を有する印刷物を表示面に着脱可能に固定し画像を表示する画像表示システムであり、表示面を有し、複数の固体発光素子を備える表示部と、透光性を有する印刷物の濃度値を検出する濃度値読取部と、該濃度値に対応して前記固体発光素子の制御値を設定する制御部とを有し、前記複数の固体発光素子は、前記制御値に対応した光を、該印刷物に照射することを特徴とする。
この構成により、本発明の画像表示システムによれば、大画面、例えば対角５０インチを超えるような画面における画像表示を考慮した場合、画像の解像度を透光性を有する印刷物にて実現し、各画像の輝度を固体発光素子が照射する光により補完するため、画像表示の解像度，表示面積，表示輝度，コントラスト性能，階調性，色域，視野角性能及びコストなどの広い評価項目に対して、従来例に比較して性能の高い画像表示を行うことができる。
【０００９】
すなわち、本発明の画像表示システムによれば、インクによる光の吸収で色を出す透光性を有する印刷物と、発光により直接光を出す固体発光素子とを組み合わせて用いているため、相互の短所を補うこととなり、画像表示の性能を向上させることができる。ここで、印刷物のインクは光を吸収するので、特に明るい環境下での黒の締りがよいが、一方、画像の輝きを表現するのは困難である。それに対して、固体発光素子は明るい側の輝き（光っているという視覚刺激）を出すのは得意であるが、黒側は消灯した固体発光素子自体の色が黒に相当するため、完全に黒を表現することができない。
本発明の画像表示システムは、上述した印刷物と固体発光素子との長所だけを利用し、印刷による画像の締まった黒と、発光による輝きとの双方を実現することができ、実世界で見ることができる非常にダイナミックレンジが広い状態を、印刷物に対して固体発光素子からの光を照射することにより、表示する画像において再現することが可能となる。
【００１０】
また、本発明の画像表示システムによれば、解像度的には上述したように印刷物の画像の解像度を非常に高くすることができ、この印刷物の画像が主に表示の解像度を決定し、固体発光素子側が低い解像度であっても最終的な表示結果は高い解像度の画像を実現することができる。
また、本発明の画像表示システムによれば、印刷物を表示面に対して着脱可能としたことにより、印刷物を取り付けない場合には通常の固体光源ディスプレイとして使用することが可でき、種々の目的や状況に応じて効果的に使い分けることが可能であり、従来例に対して投資対効果を向上させることができる。
【００１１】
本発明の画像表示システムは、前記固体発光素子が複数色の色光を照射可能な光源として構成されていることを特徴とする。
この構成により、本発明の画像表示システムによれば、複数色の色光毎の印刷物による反射光から、印刷物における画像の複数色各々の濃度値を検出することができ、コントラスト，色域，階調性及び視覚的特性等を、非常にダイナミックレンジが広くなる状態に加えて向上させ、従来例に比較して、表示する画像を実世界で見る状態に近づけることができる。
【００１２】
本発明の画像表示システムは、前記濃度値読取部は前記固体発光素子毎に設けられた受光素子を有し、該受光素子が受光する光の強度により、前記各画像の濃度値を検出することを特徴とする。
この構成により、本発明の画像表示システムによれば、各固体発光素子の位置に対応して配置された受光素子により、固体発行素子の放射した光を受光した印刷面からの反射光により、印刷物における画像の濃度値を正確に検出することが可能となり、固体発光素子毎の発光強度の制御を行い易くすることができる。
【００１３】
本発明の画像表示システムは、前記濃度値読取部は、前記固体発光素子の発光時に、前記受光素子の前記印刷物から反射される光強度から、各画素の濃度値を検出することを特徴とする。
この構成により、本発明の画像表示システムによれば、印刷物の画像に対し、固体発光素子が光を照射した際、この光が印刷物により反射した反射光の光強度により、濃度値読取部が印刷物の画像の濃度値を検出するため、各固体発光素子に対応する位置の光強度を正確に検出することができ、かつ特に印刷物の濃度を検出するための光源を必要としないので、装置のコストを削減することができる。
【００１４】
本発明の画像表示システムは、前記固体発光素子は、複数色の色光を色光毎に順次射出可能な光源であり、前記濃度値読取部は、前記受光素子の前記印刷物から各色光の発光時の光強度を検出し、画像の複数色の濃度値を検出することを特徴とする。
この構成により、本発明の画像表示システムによれば、印刷物の画像における複数色の濃度値を色光毎ごとに正確に検出することができ、表示時に印刷物の画像に照射する固体発光素子の発光強度を、検出した画像の濃度値に対応して制御することが可能となり、ダイナミックレンジを広げるとともに、色域を拡張することができ、実世界で見ることができる状態に近づけることができる。
【００１５】
本発明の画像表示システムは、印刷物の上に拡散性の高い反射板を重ねて濃度値の検出を行うことを特徴とする。
この構成により、本発明の画像表示システムによれば、印刷物を透過した光が反射板により反射して、再度印刷物を透過して受光素子に入力するため、反射光が少ない画像に対して、濃度値を検出可能な反射光を得ることができる。
【００１６】
本発明の画像表示システムは、前記制御部が、印刷物において、他の領域に比較して濃度値の低い領域を付加表示領域として検出し、該付加表示領域の固体発光素子を制御し、印刷物と異なる情報を表示させることを特徴とする。
この構成により、本発明の画像表示システムによれば、印刷物自体においては動きや付加情報を表現することができないが、固体発光素子を制御することにより、印刷物と異なる情報、例えば文字を含む付加情報を画像として表示させることにより、印刷物の画像に情報を付加でき、動きが無い印刷物に動きを与えることが可能となる。
【００１７】
本発明の画像表示システムは、前記制御部が、前記付加表示領域にて検出された色の反対色にて、前記固体発光素子を制御し、印刷物と異なる情報を表示することを特徴とする。
この構成により、本発明の画像表示システムによれば、印刷物の画像と異なる情報（例えば、文字及び画像などを含む）を表示領域の色の反対色にて表示するため、その画像表示を見る人が印刷物に対して付加する表示を明確に視認できる。
【００１８】
本発明の画像表示装置は、透光性の印刷物を表示面に着脱可能に固定し、画像を表示する画像表示装置であり、前記表示面を有し複数の固体発光素子を備える表示部と、前記印刷物からの反射光を受光する受光素子とを有し、前記複数の固体発光素子は、前記受光素子の検出結果に応じた光を、前記印刷物に照射することを特徴とする。
この構成により、本発明の画像表示装置によれば、インクによる光の吸収で色を出す印刷物と、発光により直接光を出す固体発光素子とを組み合わせて用いているため、相互の短所を補うこととなり、画像表示の性能を向上させることができる。ここで、印刷物のインクは光を吸収するので、特に明るい環境下での黒の締りがよいが、一方、画像の輝きを表現するのは困難である。それに対して、固体発光素子は明るい側の輝き（光っているという視覚刺激）を出すのは得意であるが、黒側は消灯した固体発光素子自体の色が黒に相当するため、完全に黒を表見することができない。
本発明の画像表示システムは、上述した印刷物と固体発光素子との長所だけを利用し、印刷による画像の締まった黒と、発光による輝きとの双方を実現することができ、実世界で見ることができる非常にダイナミックレンジが広い状態を、表示する画像において再現することが可能となる。
【発明を実施するための最良の形態】
【００１９】
本発明による画像表示システムは、固体発光素子として複数色の色光を発光する発光素子、例えばＲ（赤），Ｇ（緑），Ｂ（青）の発光素子から構成されるフルカラーＬＥＤをアレイ状に並べた表示部にて画像表示するシステムであり、その表示部に対して透光性を有する例えば、透過または半透過の印刷物（フィルムを含む）を着脱可能に取り付ける（固定する）着脱機構を有し、取り付けた印刷物に対して、フルカラーＬＥＤにより複数色の色光を順次照射し、印刷物からの各色光の反射光から画像の複数色の濃度値を検出し、印刷物の画像に対して、複数色の色光毎に上記濃度値に対応した光を照射して輝度値の補正を行い、ダイナミックレンジを広げる。上記フルカラーＬＥＤは、構成する各色の発光素子を個別に、あるいは組み合わせて表示することが可能である。
上記着脱機構としては、種々の機構が考えられ、詳述な説明は省略するが、例えば、印刷物の全面を透明板と、表示部との間に挟んだサンドイッチ構造とするか、印刷物の外周の枠部分のみにて取り付ける機構がある。
また、印刷物としては、一般的な銀塩リバーサルフィルム，コルトンフィルムの他に、透過または半透過のフィルムにインクジェットプリンタなどにより、画像が印刷されたものを用いる。
【００２０】
＜第１の実施形態＞
以下、本発明の一実施形態による画像表示システムを図面を参照して説明する。図１は同実施形態の構成例を示すブロック図である。
この図において、画像表示システムは、濃度値読み取り部１１，制御部１２，ＬＥＤ駆動部１３，フォトダイオードアレイ部１４，ＬＥＤアレイ部１５（表示部），テーブル記憶部１６及び濃度値記憶部１７を有している。
【００２１】
ここで、ＬＥＤアレイ部１５は図２に示すように、フルカラーＬＥＤ１００がマトリクス状に複数配置されて構成され、フォトダイオードアレイ部１４は上記フルカラーＬＥＤ１００毎に配置されているフォトダイオード１０１（受光素子）から構成されている。
本実施形態において、フルカラーＬＥＤ１００は１ｃｍ×１ｃｍ（１ｃｍ角）である。
また、フォトダイオード１０１は、このフルカラーＬＥＤ１００各々に隣接して配置されており、センサ部の直径が３．３ｍｍのものを使用している。
【００２２】
印刷物をＬＥＤアレイ部１５からなる表示部に取り付けた後、ユーザが取付を終了したことを示す制御信号を、図示しない入力装置により制御部１２対して与える。
制御部１２は、ＬＥＤ駆動部１３及び濃度値読み取り部１１に対し、濃度値検出制御信号を出力する。
ＬＥＤ駆動部１３は、上記濃度値検出信号が入力されると、濃度読み取り用にフルカラーＬＥＤを、複数色（Ｒ，Ｇ，Ｂ）の各色成分の発光素子毎に順次発光させる。すなわち、フルカラーＬＥＤ１００は上述したように、発光素子を順次発光させ、複数色の各色光を色光毎に、順次フルカラーＬＥＤに射出させることができる。
【００２３】
フォトダイオード１０１は、フルカラーＬＥＤ１００の複数色の色光毎に順次放射した光（Ｒ，Ｇ，Ｂの色成分毎）が印刷物に入射し、印刷物裏面からの色光毎の反射光を受光し、受光した光強度に対応する測定値を出力する。すなわち、フォトダイオード１０１は、印刷物からの反射光としての複数色の各色光毎の光強度を検出する。この反射光は、画像の濃度値に対応しており、濃度値が濃い場合、吸収により反射される光量が少なくなり、フォトダイオード１０１が入力する光の光強度の値が相対的に小さく、濃度値が薄い場合、光があまり吸収されないため反射される光量が多くなり、フォトダイオード１０１が入力する光の光強度の値が相対的に大きくなる。
濃度値読み取り部１１は、ＬＥＤ駆動部１３がＬＥＤアレイ部１５に各色光を放射させるタイミングに同期して、ＬＥＤアレイ部１５の発光時に、各色光毎にフォトダイオード１０１から入力される測定値（電圧値：アナログ値）に対応した濃度値（デジタル値）を求め、対応するフルカラーＬＥＤ１００の領域情報を付加して出力する。
ここで、例えば、濃度値読み取り部１１は、複数色（Ｒ，Ｇ，Ｂ）の各色光毎に光強度の値（測定値）と、濃度値との対応テーブルを有しており、入力される光強度の値に対応した濃度値を、複数色（Ｒ，Ｇ，Ｂ）の各色光毎に出力させる。
【００２４】
上述した構成により、濃度読み取り部１１は、印刷物からより反射してくる光を上記フォトダイオードアレイ部１４により読み取るため、フォトダイオード１０１の配置された領域各々の画像の濃度値を、フルカラーＬＥＤ１００の出射光により、Ｒ，Ｇ，Ｂ毎に検出することとなる。
また、濃度読み取り部１１は、検出した濃度値を、検出した領域情報（フルカラーＬＥＤ１００を画素と見なした場合の画素位置）と対応させて、濃度値記憶部１７へ書き込んで蓄積する。
制御部１２は、濃度値記憶部１７から、順次、領域情報毎に、この領域情報の示す領域の濃度値を読みだし、テーブル記憶部１６の制御値テーブル（色処理用のルックアップテーブル）から、この濃度値に対応したフルカラーＬＥＤ１００の各Ｒ，Ｇ，Ｂの発光素子の制御値を読み出す。
【００２５】
また、制御部１２は、上記制御値及び領域情報をＬＥＤ駆動部１３に対して出力する。ＬＥＤ駆動部１３は、ＬＥＤアレイ部１５各々のフルカラーＬＥＤ１００を、上記領域情報及び制御値に対応して、領域情報に対応した位置のフルカラーＬＥＤ１００を、Ｒ，Ｇ，Ｂ毎の制御値に応じた発光強度にて駆動して発光させる。
上述した構成により、印刷物の裏面からフルカラーＬＥＤ１００の放射する複数色の色光がバックライトとして照射されることにより、印刷物に印刷された画像の輝度及び色域を拡張し、従来例に比較して高輝度／高コントラスト／高階調／広色域な画像の表示が実現できる。
【００２６】
上述した本実施形態における画像表示システムによる画像表示例を図３に示す。
図の左上の印刷物を表示部に取り付け、制御部１２に対して制御情報を入力すると、濃度値読み取り部１１がフォトダイオード１０１により、フルカラーＬＥＤ１００に対応する領域それぞれの濃度情報を読み取る。
そして、制御部１２が上記濃度情報を元に制御値を決定し、ＬＥＤアレイ部１５のフルカラーＬＥＤ１００を、それぞれの領域情報に対応させて、決定された制御値により発光させて、図３右上の「ＬＥＤ表示」の画像を表示する。
【００２７】
ＬＥＤアレイ部１５１は、すでに述べた図２に示すように、１ｃｍ角のフルカラーＬＥＤ１００が２ｃｍの周期にてマトリクス状に並んでおり、表示の解像度としては印刷物に印刷された画像よりもかなり低く設定されており、右上の画像ようにブロードな表示となる。このＬＥＤアレイ部１５の表示は、印刷物の裏から照らす複数色の色光のバックライトとなり、このバックライトの輝度（Ｒ，Ｇ，Ｂ発光素子の各色光毎の輝度）と、印刷物の画像の色とが合成され、図の下部の「最終表示結果」の図のように、非常に高輝度，高コントラスト，高階調，広色域な画像が表示できる。
また、ＬＥＤアレイ１５側の解像度が低いという問題も、表示面積が非常に大きくなってきた場合には、印刷物の実質的な表示解像度が下がってくると考えられるため、相対的にＬＥＤアレイ１５の表示解像度が上がることになり、より細部のコントラスト感の高い表示結果が得られることとなる。
また、本実施形態の画像表示システムにおいて、印刷物の上に拡散性の高い反射板を重ね、印刷物を透過した光が反射板により反射して、再度印刷物を透過して受光素子に入力する光をフォトダイオード１０１により受光するように構成してもよい。これにより、反射光が少ない画像に対しても、フォトダイオード１０１は、画像の濃度値を検出することが可能な反射光の強度を得ることができる。
【００２８】
次に、図１及び図４を用いて、本実施形態による画像表示システムの動作の説明を行う。図４は、図１の画像表示システムの動作例を示すフローチャートである。
ユーザが印刷物、例えばフィルムを表示部であるＬＥＤアレイ１５の照射方向の前部に取り付け、制御部１２に対して制御情報を入力する（ステップＳ１）。
上記制御情報が入力されると、制御部１２は、印刷物の画像の濃度値を検出する処理を開始する。ここで、制御部１２は、印刷物の赤成分（Ｒ）の濃度を読み取るためＬＥＤ駆動部１３を制御して、ＬＥＤアレイ１５の全てのフルカラーＬＥＤ１００に対して、赤色（Ｒ）の光を放射、すなわち表示させる（ステップＳ２）。このとき、制御部１２は、予め測定用に設定された制御値（例えば、電圧値）による光強度にて、各フルカラーＬＥＤ１００を駆動し発光させる。
【００２９】
そして、濃度値読み取り部１１は、フォトダイオード１０１の受光した光強度（赤の反射光の強度）に対応した赤成分の濃度値を配置位置毎に順次求め、各フォトダイオード１０１の配置位置を示す領域情報に対応させて、濃度値記憶部１７に記憶する（ステップＳ３）。
フルカラーＬＥＤ１００全てに対応したフォトダイオード１００による、印刷物の赤成分の濃度値の検出が終了すると、制御部１２は、印刷物の緑成分（Ｇ）の濃度を読み取るためＬＥＤ駆動部１３を介して、ＬＥＤアレイ１５の全てのフルカラーＬＥＤ１００に対して、緑色（Ｇ）の光を放射、すなわち表示させる（ステップＳ４）。
そして、濃度値読み取り部１１は、フォトダイオード１０１の受光した光強度（緑の反射光の強度）に対応した緑成分の濃度値を順次求め、各フォトダイオード１０１の配置位置を示す領域情報に対応させて、濃度値記憶部１７に記憶する（ステップＳ５）。
【００３０】
フルカラーＬＥＤ１００全てに対応したフォトダイオード１００による、印刷物の緑成分の濃度値の検出が終了すると、制御部１２は、印刷物の青成分（Ｂ）の濃度を読み取るためＬＥＤ駆動部１３を介して、ＬＥＤアレイ１５の全てのフルカラーＬＥＤ１００に対して、青色（Ｂ）の光を放射、すなわち表示させる（ステップＳ６）。
そして、濃度値読み取り部１１は、フォトダイオード１０１の受光した光強度（青の反射光の強度）に対応した青成分の濃度値を順次求め、各フォトダイオード１０１の配置位置を示す領域情報に対応させて、濃度値記憶部１７に記憶する（ステップＳ７）。
【００３１】
次に、制御部１２は、Ｒ，Ｇ，Ｂ各々の成分の濃度値の測定が終了すると、フルカラーＬＥＤ１００毎に、Ｒ，Ｇ，Ｂ発光素子の発光させる制御値を求める。
ここで、制御部１２は、順次、領域情報毎にＲ，Ｇ，Ｂの濃度値を読みだし、この濃度値に対応するフルカラーＬＥＤ１００の各Ｒ，Ｇ，Ｂ発光素子の制御値を求める（ステップＳ８）。
そして、制御部１２は、各フルカラーＬＥＤ１００の各Ｒ，Ｇ，Ｂ発光素子の制御値を、順次、ＬＥＤ駆動部１３へ出力する。
上記制御値が入力されると、ＬＥＤ駆動部１３は、領域情報に対応するフルカラーＬＥＤ１００を駆動し、制御値に対応させて発光させる（ステップＳ９）。
【００３２】
上述したステップＳ８において、最も簡単な濃度値から制御値を求める方法は、濃度値と同一の制御値、すなわち、濃度値を図示しないＤ／Ａコンバータにより、直接に制御値に変換する方法がある。
しかしながら、印刷物は使用するメディア（フィルム）やインク等によってその表示特性（光の吸収特性）が変わるため、その特性を考慮した決定方法を採用するのが望ましい。
【００３３】
すなわち、制御部１２は、濃度値と制御値とが対応して記憶されているテーブル記憶部１６から、順次、領域情報毎にＲ，Ｇ，Ｂ各々の測定した濃度値を制御値テーブルから読みだし、読み出したＲ，Ｇ，Ｂ各々の濃度値を参照値とし、この参照値に対応したフルカラーＬＥＤのＲ，Ｇ，Ｂ発光素子の発光強度を制御する制御値を読み出す。このテーブル記憶部１６には、印刷物を読み取った結果のＲ、Ｇ、Ｂの濃度値を参照値として、フルカラーＬＥＤ１００におけるＲ，Ｇ，Ｂ発光素子各々の発光強度の制御値が決まる制御値テーブルとして、３Ｄ−ＬＵＴ（３次元ルックアップテーブル）が記憶されている。
【００３４】
また、メディアやインクなどが異なる材質の種類毎に、印刷物のサンプルを用いて、濃度値と予め表示が実世界の状態に近くなるよう測定した制御値とを対応させたルックアップテーブル３Ｄ−ＬＵＴを複数用意し、印刷物の種類毎に、対応する種類の３Ｄ−ＬＵＴを、必要に応じて切り替えて用いる方法を用いても良い。
これにより、メディアやインクなどが異なる材質の種類毎に、輝度値を補完するフルカラーＬＥＤ１００の発光強度を調整することができるので、印刷物毎に対応した最適な画像の表示結果を得ることが可能である。
このとき、ユーザがそのメディアやインクなどの組合せに応じて、スイッチにより切り替えても良いし、予め印刷物にその種類を示す識別情報が記録されており、図示しない読み取り部がその識別情報を読み取り、対応するルックアップテーブルに切り替えるようにしても良い。
【００３５】
＜第２の実施形態＞
次に、図５に示すように、印刷物の一部を付加表示領域として、文字を含む画像情報を付加表示する第２の実施形態について説明する。図５は、フルカラーＬＥＤ１００により、付加情報を表示、例えば文字等によって情報を表示する例を示した概念図である。
システム構成及び動作としては、図１及び図２に示す第１の実施形態と同様であり、第１の実施形態と異なる動作のみ説明する。
図５に示すような文字表示を行う場合、印刷物の濃度が高い部分（相対的に透過率が低い）において、印刷物の裏面にあるフルカラーＬＥＤ１００をいくら高輝度に表示しても、最終的に得られる、すなわち印刷物を透過する文字の表示輝度は下がってしまい、表示されているか否かが視認できない状態となり、目立たなくなってしまう。
【００３６】
したがって、制御部１２が、各領域情報毎に濃度値を濃度値記憶部１７から読みだし、印刷物の画像の濃度値が低く、ある程度の面積を持つ領域を、付加表示領域として検出する。
そして、制御部１２が、付加情報を内部記憶部から読みだし、検出された付加表示領域に付加情報を表示する。この付加情報は予めユーザが制御部１２に対して入力しておく。この付加情報は、印刷物と異なる情報であり、例えば、文字や画像等の情報を含む。
上述した処理により、濃度値が低い領域に付加情報を表示するため、いずれの人にも視認でき、目立つ表示を行うことが必要である。
【００３７】
さらに、制御部１２が、上記付加表示領域の最も高い濃度値の色に対する反対色の色を検出し、この検出した反対色の色をフルカラーＬＥＤ１００に予め設定した制御値により表示する。
これにより、付加表示領域に対して反対色の色にて、付加情報を表示するため、より目立つ表示とすることが可能となる。
例えば、図５の概念図を見ると、左上の部分が濃度値の低い領域だということを検出し、この検出した付加表示領域に付加情報の画像を表示する。
また、左上の領域が、例えば薄い青色の領域であると検出されると、付加して表示する文字の色を青色の反対色である黄色に設定して表示することにより、より目立つ表示を行うことができる。
【００３８】
次に、図１及び図６を用いて、第２の実施形態の動作を説明する。図６は、第２の実施形態による画像表示システムの動作例を示すフローチャートである。
ステップＳ１と同様に、表示部にフィルムを取り付け（ステップＳ１１）、ステップＳ２からステップＳ７の動作により印刷物の画像の濃度値を測定する（ステップＳ１２）。
そして、制御部１２は、ステップＳ８及びＳ９と同様の処理により、ＬＥＤ駆動部１３を介し、各フルカラーＬＥＤ１００を発光させる（ステップＳ１３，Ｓ１４）。
【００３９】
次に、制御部１２は、印刷物の画像の濃度が他の部分より相対的に低い領域Ｑの検出する付加表示領域の抽出処理を行う（ステップＳ１５）。
ここで、制御部１２は、付加情報を表示するために予め設定された付加表示領域と同一の大きさの検出窓を、各領域情報毎にずらしてそれぞれの位置にて平均濃度を求め、最も平均濃度が低い位置の検出窓の領域を付加表示領域Ｑとして抽出する。
【００４０】
付加表示領域Ｑが抽出されると、制御部１２は、付加情報として上記付加表示領域Ｑに表示する情報表示パターンを内部記憶部から読みだし、情報表示パターンを表示する表示位置を設定する（ステップＳ１６）。
例えば、情報表示パターンが付加表示領域Ｑ内で移動して表示される表示動作を行として、以下の説明を行う。
このステップＳ１６において、制御部１２は、移動方向Ｈの情報表示パターンの端部ＴＳ（情報表示パターンの開始端）が、付加情報領域Ｑの移動方向と逆の端部ＱＳ（付加表示領域Ｑの開始端）となるよう開始の位置（フルカラーＬＥＤ１００の位置）を設定する。
【００４１】
次に、制御部１２は、情報表示パターンの各画素が表示される位置それぞれにおいて、Ｒ，Ｇ，Ｂの色濃度を検出し、この最も濃度の色の反対色を、情報表示パターンの画素の表示色として決定する。
上記情報表示パターンを決定された表示色の付加情報制御値と、付加表示領域Ｑの各領域情報の制御値とを加算して、得られた加算制御値により、ＬＥＤ駆動部１３を介して、領域情報に対応するフルカラーＬＥＤ１００を発光させ、情報表示パターンの表示を開始する（ステップＳ１７）。
【００４２】
表示を開始すると、制御部１２は、情報表示パターンが付加表示領域Ｑの一方の端部ＱＳ（開始端）から、他方の端部ＱＥ方向に、一定時間周期により１つの領域情報ずつシフトさせて、他方の端部ＱＥ（終端）の位置のフルカラーＬＥＤ１００に、情報表示パターンの終端ＴＥ（終端）を表示したことを検出することにより、この情報表示パターンの表示を終了を判定する（ステップＳ１８）。すなわち、制御部１２は、情報表示パターンの右端が情報表示領域Ｑの左端から順次表示が開始されるとする。
【００４３】
制御部１２は、一定周期経過した後、表示情報パターンの左端ＴＥが付加表示領域Ｑの右端ＱＥと一致するか否かの検出を行い、一致したことを検出した場合、情報表示パターンの表示処理を終了する。一方、制御部１２は、表示情報パターンの左端ＴＥが付加表示領域Ｑの右端ＱＥと一致していないことを検出した場合、情報表示パターンの表示位置を、フルカラーＬＥＤ１００の１つ分右にシフトさせ、処理をステップＳ１６へ戻す。
また、上述した処理において、情報表示パターンの移動方向を、左右逆としても、あるいは上下に変更してもよい。
さらに、制御部１２は、付加表示領域Ｑ内に情報表示パターン全体が含まれるように表示し、表示を開始してから予め設定された表示時間が経過すると表示終了とするようにしてもよい。
【００４４】
また、上述した第１及び第２の実施形態において、図１の構成からなる画像表示システムの構成を説明したが、ＬＥＤアレイ部１５，ＬＥＤ駆動部１３，フォトダイオードアレイ部１４及び高度値読み取り部１１からなる画像表示装置とし、制御部１２，テーブル記憶部１６及び濃度値記憶部１７をパーソナルコンピュータ上にて構成してもよい。
【００４５】
なお、図１における制御部１２と、濃度値読み取り部１１とにおけるデジタル／アナログ変換を除く処理と機能を実現するためのプログラムをコンピュータ読み取り可能な記録媒体に記録して、この記録媒体に記録されたプログラムをコンピュータシステムに読み込ませ、実行することにより、画像表示制御の処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４７】
【図１】本発明の第１及び第２の実施形態による画像表示システムの構成例を示すブロック図である。
【図２】図１におけるＬＥＤアレイ部１５及びフォトダイオードアレイ１４の表示部での平面配置を示す概念図である。
【図３】本実施形態における画像表示を例を示す概念図である。
【図４】本発明の第１の実施形態における画像表示の動作例を示すフローチャートである。
【図５】第２の実施形態における付加情報の表示例を示す概念図である。
【図６】本発明の第２の実施形態による画像表示の動作例を示すタイミングチャートである。
【符号の説明】
【００４８】
１１…濃度値読み取り部  １２…制御部  １３…ＬＥＤ駆動部  １４…フォトダイオードアレイ部  １５…ＬＥＤアレイ部  １６…テーブル記憶部  １７…濃度値記憶部  １００…フルカラーＬＥＤ  １０１…フォトダイオード
【図１】
2008102483.tif 000003
【図２】
2008102483.tif 000004
【図３】
2008102483.tif 000005
【図４】
2008102483.tif 000006
【図５】
2008102483.tif 000007
【図６】
2008102483.tif 000008